(57)【要約】【課題】内容器１と透明な外容器２の間に任意の図柄シート７を挿入してオリジナルの図柄の容器とすることができる合成樹脂製二重容器を実現する。【解決手段】カップ状に成型される合成樹脂製の内容器１と、筒状であって内容器１が挿入される透明な合成樹脂製の外容器で構成する。内容器１の下端部に上方に向けて細くなる有底のテーパー状の嵌合突部３を形成し、外容器２の下端部に内容器１の嵌合突部３が嵌合する嵌合筒部４を形成する。嵌合筒部４には複数位置に縦方向のスリット５、５を形成し、スリットとスリット間の内周面複数位置に周方向の突条６を形成する。嵌合突部３の大径部分が嵌合筒部４の突条６を乗り越えることによって内容器と外容器を着脱自在とし、内容器と外容器の間に任意図柄を記載した図柄シートを挿入する。【選択図】  図１
2010202264.tif 000002
【特許請求の範囲】
【請求項１】
カップ状に成型される合成樹脂製の内容器と、筒状であって前記内容器が挿入される透明な合成樹脂製の外容器で構成し、内容器の下端部を上方に向けて細くなる有底のテーパー状の嵌合突部とし、外容器の下端部に前記内容器の嵌合突部が嵌合する嵌合筒部を形成し、該嵌合筒部には複数位置に縦方向のスリットを形成するとともに、スリットとスリット間の内周面複数位置に周方向の突条を形成し、内容器嵌合突部の大径部分が外容器の嵌合筒部に形成した突条を乗り越えることによって内容器と外容器を着脱自在に嵌合させ内容器と外容器の間に図柄シートを挿入することができる隙間を形成し任意好みの図柄シートを挿入することを特徴とする合成樹脂製二重容器。
【発明の詳細な説明】
【技術分野】
【０００１】
この発明は、内容器と外容器を容易に着脱することができる合成樹脂製二重容器を提供するものである。好ましくは、外容器を透明な合成樹脂製とし、内容器と外容器の間にオリジナルの図柄シートを挿入することによって、オリジナル図柄の容器を完成させることができる合成樹脂製二重容器に関するものである。
【背景技術】
【０００２】
包装容器として、あるいは飲料容器として合成樹脂製の二重容器は広く知られている。従来公知の合成樹脂製二重容器、例えば特許文献１には、内容器と外容器を底部で支持させ、外容器の上端が内容器の外周面に係止される合成樹脂製二重容器の構造が開示されている。また、特許文献２には容器底部において内容器と外容器をネジによって螺合させ、上端のガスケットを密着させる構造が開示されている。さらに、特許文献３には、内容器と外容器を、その開口部において嵌合させて一体化し、内容器と外容器の間に装飾紙筒を挿入する思想が開示されている。
【先行技術文献】
【特許文献】
【０００３】
【特許文献１】特開２００６‐１１１２７１号公報
【特許文献２】特開２００８‐２３９１５７号公報
【特許文献３】特開平１１‐２７８５５９号公報
【発明の概要】
【発明が解決しようとする課題】
【０００４】
従来の合成樹脂製二重容器は、いずれも内容器と外容器を確実に固定するものであるため、簡単に着脱することができるものではなかった。また、内容器と外容器の間に装飾紙筒を配置する特許文献３に開示された発明は、商品表示のための紙筒を想定し、内容器と外容器は簡単に着脱することができるものではなかった。
【０００５】
本発明は、内容器と外容器を簡単に着脱することができ、内容器と外容器の間に任意の図柄シートを挿入することによってオリジナルの図柄の、例えば飲料容器を実現することができるようにすることを目的とするものである。また本発明の別の目的は、内容器と外容器を容易に着脱できることによって、飲み物によって内容器のみを交換して使い分けることができ、あるいは保形性が小さく安価に製造することができる内容器と、丈夫な外容器を組み合わせることによって丈夫で見栄えのよい合成樹脂製二重容器を安価に提供することを目的とするものである。
【課題を解決するための手段】
【０００６】
上記目的を達成するため、請求項１記載の本発明に係る合成樹脂製二重容器は、カップ状に成型される合成樹脂製の内容器１と、筒状であって前記内容器１が挿入される合成樹脂製の外容器２で構成する。内容器１の下端部には、上方に向けて細くなるテーパー状である有底の嵌合突部３とするとともに、外容器２の下端部に内容器１の前記嵌合突部３が嵌合する嵌合筒部４を形成する。
【０００７】
外容器２の嵌合筒部４には、複数位置に縦方向のスリット５、５を形成するとともに、スリット５とスリット５間の内周面複数位置に周方向の突条６(アンダーカット)を形成し、内容器１の嵌合突部３の大径部分が外容器２の嵌合筒部４に形成した突条６を乗り越えることによって内容器１と外容器２を着脱自在に嵌合させる。
【０００８】
内容器１と外容器２の間には、図柄シート７を挿入することができる隙間８を形成し、この隙間８に適宜使用者の好みの図柄シート７を内容器と外容器の間に挿入する。
【発明の効果】
【０００９】
請求項１記載の本発明によれば、内容器１と外容器２を自由に着脱することができる。したがって、内容器１を例えば真空成型によって安価なカップ状容器として実施し、外観を形成する外容器２は例えば射出成型によって肉厚で高級感のある合成樹脂製容器として実施する。これにより、外観上或いは手にとって使用する上において丈夫で高級感のある容器を全体として安価に実施することができる。
【００１０】
内容器１を安価な成型品とすることによって、外容器２を共通とし収容物や用途によって内容器１を自由に取替えて使用することができる。また、外容器２をホルダとし、内容器１を消耗品として使用することもできる。
【００１１】
さらに、本発明によれば内容器１と外容器２の間に適宜好みの図柄シート7を適宜挿入することによって、使用者オリジナルの容器、すなわちマイカップを簡単に実現することができる。
【図面の簡単な説明】
【００１２】
【図１】図１は、本発明に係る合成樹脂製二重容器を下から見た分解斜視図、
【図２】図２は、一部を拡大表示する合成樹脂製二重容器の縦断面図、
【図３】図３は、図２のＡ−Ａ線断面図、
【図４】図４は、外容器の嵌合筒部のみの展開図である。
【発明を実施するための形態】
【００１３】
以下、本発明を実施するための好ましい実施形態を添付の図面に基づいて説明する。
図示実施形態の合成樹脂製二重容器は、カップ状の内容器１と、筒状であって前記内容器１が挿入される外容器２と、印刷その他任意手段によって任意の図柄を記載した図柄シート７で構成する。
【００１４】
内容器１は例えば真空成型によってシート状部材から成型し、上端に外鍔９を形成し、下端部に上方に向けて細くなる有底のテーパー状の嵌合突部３を形成する。嵌合突部３は、カップ状内容器１の底部に段部10を設けることによってやや細径として下方に延長し、僅かに上方に向けて細径となるテーパー状としたものである。
【００１５】
内容器１が挿入される外容器２は、例えば射出成型によってある程度肉厚で丈夫な構造、形状の筒状に成型し、下端部に形成した段部11の下方に、内容器１の前記嵌合突部３が嵌合する嵌合筒部４を形成する。すなわち、嵌合筒部４の高さ寸法は内容器１の嵌合突部３の高さ寸法とほぼ対応するものである。
【００１６】
外容器２の嵌合筒部４には、図３及び図４に示すように複数位置(図面上の４箇所)に縦方向のスリット５、５を形成するとともに、スリット５とスリット５間の内周面複数位置(図面上の４箇所)に周方向の突条６(アンダーカット)を形成している。図示実施形態のスリット４及び突条６は四箇所以外の三ケ所や六ヶ所４であってもよい。なお、嵌合筒部４にスリット５を設けることによってバネ性、弾力性が生じ易く内容器と外容器を容易に着脱するとともに、安定良く嵌合させることができるものである。
【００１７】
上記構造とすることによって、図２(拡大図参照)に示すように内容器１の嵌合突部３の大径部分が外容器２の嵌合筒部４に形成した突条６を乗り越えることによって内容器１と外容器２を着脱自在に嵌合させることができる。内容器１嵌合突部３の最大径部分が、外容器２の嵌合筒部４に形成した突条６を乗り越えると、嵌合突部３がテーパー状であることから、相対的に外容器２が上方に押し上げられ、あるいは外容器２を手に持ったとき、内容器１が自重で下方に押し下げられ、外容器２の上端が内容器１の外鍔９下面に押し付けられる。すなわち、外容器２の上端は内容器１の外鍔９の底面に当接し、ガタツクことがなく二重容器として安定状態が保たれる。
【００１８】
外容器２を透明とし、内容器１と外容器２の間に図柄シート７を挿入すると外部から図柄シート７の図柄を見ることができる。図柄シートは、各種図柄を印刷したものであってもよいが、手描きシートであってもよい。図柄シート７は、内容器１外容器２の隙間８の形状であるテーパー筒状であってもよいが、平面的な用紙、すなわち隙間８の展開図である扇面形に近い用紙を丸めて隙間８に挿入するものであってもよい。
【符号の説明】
【００１９】
１…内容器、  ２…外容器、  ３…嵌合突部、  ４…嵌合筒部、  ５…スリット、  ６…突条、  ７…図柄シート、  ８…隙間、  ９…外鍔、    10、11…段部。
【図１】
2010202264.tif 000003
【図２】
2010202264.tif 000004
【図３】
2010202264.tif 000005
【図４】
2010202264.tif 000006